(57)【要約】      （修正有）【課題】映像表示部の閉動による開閉蓋や液晶モニターの損傷や破損を防止する。【解決手段】装置本体１の左側面に回動自在な映像表示フレーム３と、底面１Ｂに臨んで形成された収納凹部を設け、底面１Ｂにカード型記録媒体を挿脱する開口部を形成し、収納凹部の底部４ａに開閉軸周りに回動自在に支持されて開口部を開閉自在な開閉蓋１２を設け、開閉蓋１２の開動限を規制する規制部１８を形成し、前記規制部１８は、映像表示部が閉動された時に、開放限の開閉蓋１２に当接する接触点を、開閉軸よりも開口部寄りとなるように構成した。【選択図】図３
2005175729.tif 000002
【特許請求の範囲】
【請求項１】
装置本体の第１の外面に映像表示部を回動自在に設けるとともに、該映像表示部を収納可能な収納凹部を形成し、
前記収納凹部を第１の外面に隣接する第２の外面に臨むように形成し、
前記収納凹部に対応して、前記第２の外面にカード型記録媒体を挿脱自在な開口部を形成し、
前記収納凹部の底部に開閉軸心周りに回動自在に支持されて前記開口部を開閉自在で、かつ開口部の開放時に収納凹部の底部から突出する開閉蓋を設け、
前記開閉蓋の開動限を規制する規制部を形成し、
前記規制部は、前記収納凹部側に回動された映像表示部が、開放限の開閉蓋に当接する接触点を、前記開閉軸よりも開口部寄りとなるように構成された
ことを特徴とするカード型記録媒体の着脱装置を具備した撮像装置。
【請求項２】
第１の外面を装置本体の左側面または右側面とし、第２の外面を装置本体の底面とし、
開閉蓋を、収納凹部の底部に沿う回動面部と底面に沿う閉止面部とでＬ字形断面に形成した
ことを特徴とする請求項１記載のカード型記録媒体の着脱装置を具備した撮像装置。
【発明の詳細な説明】
【技術分野】
【０００１】
本発明は、撮像素子で撮像した被写体像を電子的にカード状記録媒体に記録するビデオカメラなどの撮像装置において、カード型記録媒体を挿脱するための着脱装置を具備したものに関する。
【背景技術】
【０００２】
近年、ビデオテープのみに映像を記録するのではなく、カード型記録媒体が着脱可能なカード型記録装置を備え、このカード型記録媒体を介してパーソナルコンピューターに映像を取り込めるビデオカメラが商品化されている。
【０００３】
このようなビデオカメラには、特許文献１や特許文献２に示すように、装置本体の上面側部や側面前部にカード型記録媒体の着脱口や開閉蓋からなる着脱装置が設けられている。
【０００４】
しかし、カメラ本体の露出面には多数の操作部が配置されることから、ビデオカメラのコンパクト化の要請により、操作部と異なる部位に設けることが考えられる。
このようなビデオカメラは、撮影時のファインダーや再生時のモニターとして液晶モニターを有する映像表示フレームが設けられており、この映像表示フレームは、使用時の使い安さや収納性、小型化等の点から、非使用時には装置本体の収納凹部に収納しておき、使用する時に回転して収納凹部から取り出し、液晶モニターを監視できる姿勢にすることができる。
【０００５】
そこで、たとえば図５に示すように、装置本体１０１の底面で前記収納凹部１０３に接近して底面にカード型記録媒体の挿脱用の開口部１１１を形成し、収納凹部１０３の底部から装置本体１０１の底面に及んで、開口部１１１を閉止する開閉蓋１１２を開閉自在に設けることが考えられる。これによりカード型記録媒体の着脱装置１１０を、他の操作部に干渉しない部位に設けて、映像表示フレーム１０２を閉じた状態で外観から隠れることで美感を向上させることができ、コンパクト化を図ることができる。
【０００６】
すなわち、装置本体１０１の左側面に収納凹部１０３が形成されるとともに、収納凹部１０３の前部に設けられたヒンジ機構１０４を介して筐体状の映像表示フレーム１０２が垂直軸心および水平軸心周りに回動自在に支持されており、映像表示フレーム１０２は装置本体１０１の左側面に形成された収納凹部１０３内に液晶モニター１０２ａを内面として収納することができる。これにより、使用時には映像表示フレーム１０２を装置本体１０１の側方に開き、後方よりモニターすることができる。
【特許文献１】特開２００２−５１２４５
【特許文献２】特開２００３−２１９２３８
【発明の開示】
【発明が解決しようとする課題】
【０００７】
しかしながら、上記構成では、開閉蓋１１２が開いている時、映像表示フレーム１０２を閉じると、開閉蓋１１２の遊端部が映像表示フレーム１０２に接触して、開閉蓋１１２を損傷させたり、映像表示フレーム１０２の液晶モニター１０２ａに傷や汚れがつくという問題があった。
【０００８】
本発明は上記問題を解決して、映像表示部の収納凹部に臨んで、開放状態の開閉蓋があっても、映像表示部が閉じられることで、開閉蓋や液晶モニターの損傷や破損を未然に防止することができるカード型記録媒体の着脱装置を具備した撮像装置を提供することを目的とする。
【課題を解決するための手段】
【０００９】
本発明は、装置本体の第１の外面に映像表示部を回動自在に設けるとともに、該映像表示部を収納可能な収納凹部を形成し、前記収納凹部を第１の外面に隣接する第２の外面に臨むように形成し、前記収納凹部に対応して、前記第２の外面にカード型記録媒体を挿脱自在な開口部を形成し、前記収納凹部の底部に開閉軸心周りに回動自在に支持されて前記開口部を開閉自在で、かつ開口部の開放時に収納凹部の底部から突出する開閉蓋を設け、前記開閉蓋の開動限を規制する規制部を形成し、前記規制部は、前記収納凹部側に回動された映像表示部が、開放限の開閉蓋に当接する接触点を、前記開閉軸よりも開口部寄りとなるように構成されたものである。
【発明の効果】
【００１０】
上記構成によれば、開閉蓋が開いている時に、映像表示部を閉じても、映像表示部により開閉蓋が押されて映像表示部と共に閉動し、破損されることがない。
【発明を実施するための最良の形態】
【００１１】
以下に、本発明に係る撮像装置の実施の形態を図１〜図４を参照して説明する。
図１は、撮像装置の一例としてハンディタイプのＶＴＲ一体型ビデオカメラ装置の斜視図、図２はカード型記録媒体の着脱装置の開口部を示す拡大断面図、図３は同開口部で開閉蓋が開いている状態を示す拡大断面図、図４は映像表示部の液晶モニターと開閉蓋の位置関係を示す側面図である。
【００１２】
図１に示すように、前方上部に対物レンズ部２を有する装置本体１には、その左側面（第１の外面）に液晶モニター５を有する映像表示フレーム（映像表示部）３が回動自在に設けられるとともに、映像表示フレーム３を収容可能な収納凹部４が形成されている。前記映像表示フレーム３は、矩形板状の表示用筐体３ａの内面に収容窓３ｂが形成され、この収容窓３ｂに液晶モニター５がはめ込まれている。また映像表示フレーム３は、収納凹部４の前部にヒンジ部材７を介して表示用筐体３ａが互いに直交する２軸周り、たとえば垂直軸周りと水平軸周りにそれぞれ回動自在に連結され、映像表示フレーム３を液晶モニター５を内面（または外面）として、ヒンジ部材７を中心に閉動して映像表示フレーム３を収納凹部４に収納することができる。前記映像表示フレーム３の内面で表示窓３ｂ周囲の内面枠部３ｃは、その板厚分だけ液晶モニター５の表面より突出され、内面枠部３ｃが液晶モニター５より先に障害物に接触することで液晶モニター５の損傷が防止されている。
【００１３】
前記収納凹部４は、装置本体１の底面（第２の外面）１Ｂに臨んで形成されてその下部側面が開放されている。そして図２に示すように、収納凹部４に対応して装置本体１の底面１Ｂにカード型記録媒体６の着脱装置１１が設けられている。そして着脱装置１１には、装置本体１の底面１Ｂに形成されてカード型記録媒体６を挿脱するスリット状の開口部１３と、底面１Ｂから収納凹部４の底部４ａにわたって開閉自在に設けられて開口部１３を覆う開閉蓋１２とが具備されている。ここでカード型記録媒体６とは、セキュアデジタルカードやマルチメディアカード、メモリースティック、コンパクトフラッシュ（登録商標）カード等を指す。
【００１４】
すなわち、図４に示すように、装置本体１を覆う本体カバー１ａには、収納凹部４の底部４ａで下部後寄り部分と、これに隣接する装置本体１の底面１Ｂとにわたって、開閉蓋１２が嵌合可能な横長長方形の嵌合凹部１４が形成されている。前記嵌合凹部１４内の本体カバー１ａは、凹状の下辺コーナー段部１４ａと凹状の上辺コーナー部１４ｂとの間に、Ｌ字形に形成された内底面部１４ｃと内側面部１４ｄとが設けられ、内底面部１４ｃに開口部１３が形成されて本体カバー１ａの内部が記録媒体収容部１５に構成されている。
【００１５】
嵌合凹部１４の上部には、対物レンズの光軸に沿う前後方向の開閉軸１６を介して開閉蓋１２が回動自在に支持されており、この開閉蓋１２は、上端部が開閉軸１６に支持されて内側面部１４ｄに面して嵌合凹部１４に収容される基端回動面１２ａと、基端回動部１２ａの先端部にアール部を介して折り曲げられて内底面部１４ｃに面して嵌合凹部１４に収容される閉止面１２ｂとで、断面Ｌ字形に形成されている。また本体カバー１ａで装置本体１の底部１Ｂと嵌合凹部１４のコーナー部には、開閉蓋１２を開動するための指掛け凹部１７が形成されている。
【００１６】
前記指掛け凹部１７は、操作者が記録媒体６を装置本体１の開口部１３から取り出す時は記録媒体６の端縁部を指でつまんで取り出すため、できるだけ広く深い方が指が掛かり易く操作性が良い。しかし、指掛け凹部１７を深くすると装置本体１の高さが高くなってしまい、装置本体１の小型化に相反してしまう。このため指掛け凹部１７を装置本体１の高さを高くしなくても良い深さに作ると、記録媒体６を指でつまむ時、つまみ難いので、指掛け凹部１７側と反対側の指を深く開閉蓋４の内側に入れてしまう。このため、開閉蓋４の開閉角度を大きくする必要がある。
【００１７】
ところで、図３に示すように、開閉蓋４が開いた状態で映像表示フレーム３が閉じられると、ヒンジ部材７を中心として映像表示フレーム３を閉じる接線方向の力ＦＡが接触点Ｐを介して開放状態の開閉蓋１２に加わることになる。この閉じる力ＦＡは、開閉蓋１２の回転中心である開閉軸１６に向う分力ＦＢと、それに直交する分力ＦＣとにベクトル分解することができ、ここで分力ＦＢは開閉蓋１２を圧縮方向に加圧して破損させる力であり、分力ＦＣは開放蓋１７を閉じようとする力である。
【００１８】
このため、開閉蓋１２の開放限の角度θは、十分に指で記録媒体６をつまみ出せる角度で、かつ映像表示フレーム３を閉じられて開放状態の開閉蓋１２に接触したとしても開閉蓋１２が破損されないように、角度θ＝５３°〜６７°の範囲に開放限が設定されている。ここで開放限となるθが６７°以上となると、開閉蓋１２が破壊され易いためであり、５３°以下となると、指で記録媒体６をつまみ出しにくくなるためである。このため開閉蓋１２の開放限で、開閉蓋１２の開動を規制する規制部１８が上辺凹状段部１４ｂの本体カバー１ａに形成されている。
【００１９】
またここで開閉蓋１２の開放限の角度θは、開閉蓋１２が開放限を含む開放状態で、映像表示フレーム３が閉じられることがあっても、当接端となる接触点Ｐに当接する映像表示フレーム３の部位が、液晶モニター５ではなく、内面枠部３ｃとなるように、開閉蓋１２の位置や大きさ、開放限となる角度θが設定されている。
【００２０】
上記構成において、撮影時には、回動して収納凹部４から取出す。次に開閉蓋１２を開け、記録媒体６を開口部１３から奥まで挿入し、開閉蓋１２を閉じる。そして撮像装置本体１を把持し、対物レンズ部２を被写体に向け、液晶モニター５を後方から覗きながら撮影を行う。撮影が終わると，開閉蓋４を開けて記録媒体６を取り出し、開閉蓋１２を閉じた後、映像表示フレーム３を閉じて装置本体１の収納凹部４に収納する。
【００２１】
上記実施の形態によれば、開閉蓋１２が開いている状態で映像表示フレーム３を閉じた時、規制部１８により開閉蓋１２の開放限を規制して、映像表示フレーム３の表示用筐体３ａが開閉蓋１２と当たる接触点を、開閉軸１６の下方（開口部１３寄り）としたので、映像表示フレーム３を閉じる力ＦＡが、開閉蓋１２を破損する前に、回転モーメントの分力ＦＣにより開閉蓋１２を閉じることができる。したがって、開閉蓋１２が開いている状態で映像表示フレーム３を閉じれば、開閉蓋１２を損傷させることなく閉じることができる。また、開放限および開放された開閉蓋１２の映像表示フレーム３との接触点Ｐを、液晶モニター５ではなく、内面枠部３ｃとなるように設定したので、液晶モニター５の損傷や汚染を未然に防止することができる。
【図面の簡単な説明】
【００２２】
【図１】本発明に係るビデオカメラ装置の実施の形態を示す全体斜視図である。
【図２】同ビデオカメラ装置のカード型記録媒体の着脱装置を示し、開口部の拡大断面図である。
【図３】同ビデオカメラ装置の開口部で、映像表示フレームの閉動時のモーメントを説明する開口部の拡大断面図である。
【図４】同ビデオカメラ装置の側面図である。
【図５】本発明の着想に係るビデオカメラ装置を示す全体斜視図である。
【符号の説明】
【００２３】
１    装置本体
１Ｂ  底面
３    映像表示フレーム
３ａ  表示用筐体
３ｂ  表示窓
３ｃ  内面枠部
４    収納凹部
４ａ  底部
５    液晶モニター
６    記録媒体
７    ヒンジ部材
１１    着脱装置
１２    開閉蓋
１２ａ  基端回動面
１２ｂ  閉止面
１３    開口部
１４    嵌合凹部
１４ａ  下辺コーナー部
１４ｂ  上辺コーナー部
１４ｃ  内底面部
１４ｄ  内側面部
１５    記録媒体収納部
１６    開閉軸
１７    指掛け凹部
１８    規制部
【図１】
2005175729.tif 000003
【図２】
2005175729.tif 000004
【図３】
2005175729.tif 000005
【図４】
2005175729.tif 000006
【図５】
2005175729.tif 000007